(57)【要約】【目的】  本発明の目的は、プラグとレセプタクルとの接続状態を視認可能に表示することができるコネクタのインジケータ構造及びこれを用いたコネクタを提供する。【構成】  インジケータ構造Ｓは、プラグＰとレセプタクルＲとが接続された状態で当該プラグＰ及びレセプタクルＲをロックするロック手段Ｓ１と、このロック手段Ｓ１の係止部材８００をプラグＰの上面（脱方向の端部）から外部に向けて露出させる開口部Ｓ２とを備えている。【選択図】      図１１
2008282583.tif 000002
【特許請求の範囲】
【請求項１】
プラグとレセプタクルとの接続状態を視認可能に表示するコネクタのインジケータ構造であって、
プラグとレセプタクルとが接続された状態で当該プラグ及びレセプタクルをロックするロック手段と、
プラグ又はレセプタクルに設けられ、ロック手段をプラグ又はレセプタクルの外部から視認可能に露出させる開口部とを備えていることを特徴とするコネクタのインジケータ構造。
【請求項２】
請求項１記載のコネクタのインジケータ構造において、
ロック手段は、プラグに設けられているプラグ側係止孔と、
レセプタクルに設けられているレセプタクル側係止孔と、
プラグとレセプタクルとが接続された状態でプラグ側係止孔及びレセプタクル側係止孔に係止される係止部材とを有しており、
開口部は少なくとも係止部材を前記外部に露出させるようになっていることを特徴とするコネクタのインジケータ構造。
【請求項３】
請求項１記載のコネクタのインジケータ構造において、
ロック手段は、プラグ又はレセプタクルに設けられた係止孔と、
レセプタクル又はプラグに設けられ、当該プラグとレセプタクルとが接続された状態で係止孔に係止される係止部材とを有しており、
開口部は少なくとも係止部材を前記外部に露出させるようになっていることを特徴とするコネクタのインジケータ構造。  
【請求項４】
請求項２又は３記載のコネクタのインジケータ構造において、
開口部は、プラグの脱方向側の端部に設けられていることを特徴とするコネクタのインジケータ構造。
【請求項５】
請求項２記載のコネクタのインジケータ構造において、
係止部材は、プラグ側係止孔及びレセプタクル側係止孔に係止される係止部と、
プラグ側係止孔及びレセプタクル側係止孔に係止された状態の係止部を覆い、開口部を通じて露出不能にする目隠し部とを有しており、
係止部は、プラグ側係止孔又はレセプタクル側係止孔の縁部に当接することにより、目隠し部から突出し、開口部を通じて前記外部に露出するようになっているコネクタのインジケータ構造。
【請求項６】
請求項５記載のコネクタのインジケータ構造において、
係止部には識別マークが設けられており、
目隠し部には、係止部がプラグ側係止孔及びレセプタクル側係止孔に係止された状態で、当該係止部の識別マークを露出させる貫通孔部が設けられていることを特徴とするコネクタのインジケータ構造。
【請求項７】
請求項５記載のコネクタのインジケータ構造において、
係止部には識別マークが設けられており、
目隠し部には、係止部がプラグ側係止孔又はレセプタクル側係止孔の縁部に当接した状態で、当該係止部の識別マークを露出させる貫通孔部が設けられていることを特徴とするコネクタのインジケータ構造。
【請求項８】
請求項２記載のコネクタのインジケータ構造において、
係止部材には、当該係止部材がプラグ側係止孔及びレセプタクル側係止孔に係止された状態で、開口部を通じて露出する識別マークが設けられていることを特徴とするコネクタのインジケータ構造。
【請求項９】
請求項２記載のコネクタのインジケータ構造において、
係止部材には、当該係止部材がプラグ側係止孔又はレセプタクル側係止孔の縁部に当接した状態で、開口部を通じて露出する識別マークが設けられていることを特徴とするコネクタのインジケータ構造。
【請求項１０】
請求項３記載のコネクタのインジケータ構造において、
係止部材には、当該係止部材が係止孔に係止された状態で、開口部を通じて露出する識別マークが設けられていることを特徴とするコネクタのインジケータ構造。
【請求項１１】
請求項３記載のコネクタのインジケータ構造において、
係止部材には、当該係止部材が係止孔の縁部に当接した状態で、開口部を通じて露出する識別マークが設けられていることを特徴とするコネクタのインジケータ構造。
【請求項１２】
プラグと、
このプラグが接続されるレセプタクルと、
請求項１、２、３、４、５、６、７、８、９、１０又は１１記載のコネクタのインジケータ構造とを備えることを特徴とするコネクタ。
【請求項１３】
請求項１２記載のコネクタにおいて、
プラグは、略矩形状のプラグボディと、
このプラグボディにその長さ方向に並べて配列される複数のプラグコンタクトと、
プラグボディの第１の面を覆う第１のシールド部材と、
プラグボディの少なくとも第１の面に直交する第２の面を覆う第２のシールド部材とを備えており、
プラグコンタクトは、その一部がプラグボディの第２の面から複数のケーブルと接続可能に露出しており、
第１、第２のシールド部材は、複数のプラグコンタクトに接続された複数のケーブルを挟持する第１、第２の支持部を有していることを特徴とすることを特徴とするコネクタ。
【発明の詳細な説明】
【技術分野】
【０００１】
本発明は、プラグとレセプタクルとの接続状態を表示するコネクタのインジケータ構造及びこれを用いたコネクタに関する。
【背景技術】
【０００２】
この種のコネクタとしては、プラグの凸状のプラグコンタクトが、レセプタクルの凹状のレセプタクルコンタクトに嵌合する際に生じる感触により、両者の接続を確認することができるようにしたものがある（特許文献１の図２参照）。
【０００３】
【特許文献１】特開２００５−１１６４４７号公報
【発明の開示】
【発明が解決しようとする課題】
【０００４】
ところが、前述のような感触は、接続時にのみ生じるものであり、その後、再確認を行うことができない。また、長時間の作業等により集中力が低下すると、作業者が前記感触を感知し忘れる場合がある。このため、プラグとレセプタクルとが不完全接続を見逃してしまう可能性があった。
【０００５】
本発明は、上記事情に鑑みて創案されたものであって、その目的とするところは、プラグとレセプタクルとの接続状態を視認可能に表示することができるコネクタのインジケータ構造及びこれを用いたコネクタを提供することにある。
【課題を解決するための手段】
【０００６】
上記課題を解決するために、本発明のコネクタのインジケータ構造は、プラグとレセプタクルとの接続状態を視認可能に表示するコネクタのインジケータ構造であって、プラグとレセプタクルとが接続された状態で当該プラグ及びレセプタクルをロックするロック手段と、プラグ又はレセプタクルに設けられ、ロック手段をプラグ又はレセプタクルの外部から視認可能に露出させる開口部とを備えている
【０００７】
このインジケータ構造による場合、ロック手段がプラグとレセプタクルとが接続された状態で当該プラグ及びレセプタクルをロックするようになっている。このロック手段がロック状態であるか否かを開口部を通じて視認することにより、プラグとレセプタクルとが正常に接続されているか否かを確認することができる。
【０００８】
ロック手段は、プラグに設けられているプラグ側係止孔と、レセプタクルに設けられているレセプタクル側係止孔と、プラグとレセプタクルとが接続された状態でプラグ側係止孔及びレセプタクル側係止孔に係止される係止部材とを有する構成とすることができる。この場合、開口部は少なくとも係止部材を外部に露出させるようになっている。
【０００９】
即ち、開口部を通じて露出した係止部材を視認し、当該係止部材がプラグ側係止孔及びレセプタクル側係止孔に係止されているか否か（即ち、ロック手段のロック状態であるか否か）を確認することにより、プラグとレセプタクルとが正常に接続されているか否かを確認することができる。
【００１０】
係止部材は、プラグ側係止孔及びレセプタクル側係止孔に係止される係止部と、プラグ側係止孔及びレセプタクル側係止孔に係止された状態の係止部を覆い、開口部を通じて露出不能にする目隠し部とを有する構成とすることができる。この場合、係止部は、プラグ側係止孔又はレセプタクル側係止孔の縁部に当接することにより、目隠し部から突出し、開口部を通じて前記外部に露出する。
【００１１】
係止部には識別マークを設けることができる。この場合、目隠し部には、係止部がプラグ側係止孔及びレセプタクル側係止孔に係止された状態で、当該係止部の識別マークを露出させる貫通孔部が設けることができる。若しくは、目隠し部には、係止部がプラグ側係止孔又はレセプタクル側係止孔の縁部に当接した状態で、当該係止部の識別マークを露出させる貫通孔部が設けることができる。
【００１２】
又は、係止部材には、当該係止部材がプラグ側係止孔及びレセプタクル側係止孔に係止された状態で、開口部を通じて露出する識別マークを設けることができるし、当該係止部材がプラグ側係止孔又はレセプタクル側係止孔の縁部に当接した状態で、開口部を通じて露出する識別マークを設けることもできる。
【００１３】
また、ロック手段は、プラグ又はレセプタクルに設けられた係止孔と、レセプタクル又はプラグに設けられ、当該プラグとレセプタクルとが接続された状態で係止孔に係止される係止部材とを有する構成とすることもできる。この場合、開口部は少なくとも係止部材を前記外部に露出させるようになっている。
【００１４】
即ち、開口部を通じて露出した係止部材を視認し、当該係止部材が係止孔に係止されているか否か（即ち、ロック手段のロック状態であるか否か）を確認することにより、プラグとレセプタクルとが正常に接続されているか否かを確認することができる。
【００１５】
係止部材には、当該係止部材が係止孔に係止された状態で、開口部を通じて露出する識別マークを設けることができる。又は、係止部材には、当該係止部材が係止孔の縁部に当接した状態で、開口部を通じて露出する識別マークを設けることができる。
【００１６】
開口部はプラグの脱方向側の端部に設けられていることが好ましい。この場合、プラグ着脱時に、脱方向から前記係止部材を視認することができる。よって、前記視認がし易くなる。
【００１７】
本発明のコネクタは、プラグと、このプラグが接続されるレセプタクルと、上記コネクタのインジケータ構造とを備えている。
【００１８】
プラグは、略矩形状のプラグボディと、このプラグボディにその長さ方向に並べて配列される複数のプラグコンタクトと、プラグボディの第１の面を覆う第１のシールド部材と、プラグボディの少なくとも第１の面に直交する第２の面を覆う第２のシールド部材とを備えた構成とすることができる。この場合、プラグコンタクトは、その一部がプラグボディの第２の面から複数のケーブルと接続可能に露出しており、第１、第２のシールド部材は、複数のプラグコンタクトに接続された複数のケーブルを挟持する第１、第２の支持部を有していることが好ましい。
【００１９】
この場合、複数のケーブルが、複数のプラグコンタクトに接続された状態で、第１、第２のシールド部材の第１、第２の支持部に挟持されるため、引っ張られる等により、前記ケーブルに不用意な負荷が掛かったとしても、前記ケーブルと前記プラグコンタクトとの接続が外れる等の不具合の発生を防止することができる。
【発明の効果】
【００２０】
本発明のコネクタのインジケータ構造による場合、ロック手段がロック状態であるか否かを開口部を通じて視認することができる。このため、ロック手段の状態をチェックすることにより、プラグとレセプタクルとが正常に接続されているか否かを確認することができる。このようにプラグとレセプタクルとの接続状態を視認により確認することができるので、従来例と比べてプラグとレセプタクルとの不完全接続の見逃しを低減することができる。
【００２１】
本発明のコネクタによる場合、前記インジケータ構造と同様の効果を奏する。
【発明を実施するための最良の形態】
【００２２】
以下、本発明の実施の形態に係るコネクタを説明する。
【実施例１】
【００２３】
まず、本発明の第１の実施の形態に係るコネクタについて図面を参照しつつ説明する。図１は本発明の第１の実施の形態に係るコネクタの斜視図であって、プラグとレセプタクルとの接続前の状態を示す図、図２は同コネクタのプラグを示す図であって、（ａ）が平面図、（ｂ）が底面図、図３は同コネクタのプラグを示す図であって、（ａ）が正面図、（ｂ）が背面図、（ｃ）が側面図、図４は同コネクタのプラグの分解斜視図、図５は同コネクタのプラグのプラグコンタクトの斜視図、図６は同コネクタのレセプタクルを示す図であって、（ａ）が平面図、（ｂ）が底面図、図７は同コネクタのレセプタクルを示す図であって、（ａ）が正面図、（ｂ）が背面図、（ｃ）が側面図、図８は同コネクタのレセプタクルの分解斜視図、図９は同コネクタのレセプタクルのレセプタクルコンタクトの斜視図、図１０は同コネクタの長さ方向の一端部を示す概略的平面図であって、（ａ）がプラグとレセプタクルとの完全接続状態を示す図、（ｂ）がプラグとレセプタクルとの不完全接続状態を示す図、図１１は同コネクタの長さ方向の一端部の概略的縦断面図であって、（ａ）がプラグとレセプタクルとの完全接続状態を示す図、（ｂ）がプラグとレセプタクルとの不完全接続状態を示す図である。
【００２４】
ここに掲げるコネクタは、複数のケーブル１０が並列に並べて接続されるプラグＰと、このプラグＰが接続されるレセプタクルＲと、プラグＰとレセプタクルＲとの接続状態（即ち、後述する完全接続状態又は不完全接続状態）を表示するインジケータ構造Ｓとを備えている。以下、詳しく説明する。
【００２５】
プラグＰは、図１乃至図５に示すように、プラグボディ１００と、このプラグボディ１００の中間部にその長さ方向に並列に配設されるプラグコンタクト２００と、プラグボディ１００の背面（第１の面）を覆う第１のシールド部材３００と、プラグボディ１００の正面、両側面及び上面（第２の面）を覆う第２のシールド部材４００とを備えている。以下、プラグＰの各部について詳しく説明する。
【００２６】
プラグボディ１００は、図２及び図４に示すように、略矩形状の両端部と、この両端部を繋ぐ中間部とを有する樹脂成形品である。
【００２７】
プラグボディ１００の両端部の上面の中央部には、インジケータ構造Ｓのロック手段Ｓ１の２つの係止部材８００が嵌合する略矩形状の嵌合凹部１１０が設けられている。
【００２８】
嵌合凹部１１０は、図１１に示すように、深部１１１と、この深部１１１に連続する浅瀬部１１２とを有する断面略Ｌ字状の凹部である。
【００２９】
プラグボディ１００の両端部の上面の嵌合凹部１１０の幅方向の両側部には、図２（ａ）、図４及び図１０に示すように、２つの係止部材８００の２つのガイド板８２０が嵌まり込む２つのガイド穴１２０（計４つ）が各々設けられている。
【００３０】
プラグボディ１００の両端部の上面の２つのガイド穴１２０の外側部には、２つの第１のガイド凸部１３０（計４つ）が各々設けられている。更に、プラグボディ１００の両端部の上面の嵌合凹部１１０の外側部には、２つの第２のガイド凸部１４０が２つの第１のガイド凸部１３０の間に位置するように設けられている。
【００３１】
第２のガイド凸部１４０は、矩形状の凸部本体と、この凸部本体の先端部の外側に設けられた把手部とを有する。前記凸部本体には第２のシールド部材４００の嵌合アーム４７０が嵌合する。
【００３２】
第１のガイド凸部１３０は、略矩形状の厚肉部と、この厚肉部に連続する略矩形状の薄肉部とを有する。前記薄肉部は、第２のシールド部材４００の嵌合アーム４７０との干渉を回避している。
【００３３】
プラグボディ１００の両端部の上面の背面側の第１のガイド凸部１４０の外側部には、第１のシールド部材３００の２つの第１の係止アーム３４０が係止される２つの係止穴１５０と、第１のシールド部材３００の２つの第２の係止アーム３５０が係止される２つの係止溝１６０とが設けられている。
【００３４】
プラグボディ１００の両端部の上面の正面側の第１ガイド凸部１４０の内側部には、図２（ｂ）及び図４に示すように、第２のシールド部材４００の２つのガイド突起４１１が嵌まり込む２つの第１のガイド溝１７１が設けられている。
【００３５】
一方、プラグボディ１００の両端部の下面の中央部には、図２（ｂ）に示すように、プラグボディ１００の中間部に向けて開放された２つの凹部と、この２つの凹部の中央部に設けられた矩形状の２つの凸部１８０とが設けられている。
【００３６】
凸部１８０はレセプタクルＲのレセプタクルボディ５００の取付凹部５１０に嵌合する凸部１８０の内部には、図１１に示すように、嵌合凹部１１０の深部１１１が設けられている。
【００３７】
また、プラグボディ１００の両端部の正面には、図３及び図４に示すように、第１、第２のシールド部材３００、４００を係止する２つの係止凸部１９０が設けられている。
【００３８】
プラグボディ１００の中間部は、図２（ｂ）及び図４に示すように、プラグボディ１００の両端部の上端部に掛け渡すように一体的に設けられた板状部と、この板状部の下面に一体的に設けられたコンタクト保持部と、このコンタクト保持部の背面に一体的に設けられた壁部とを有している。
【００３９】
前記コンタクト保持部は、凸部１８０がレセプタクルＲのレセプタクルボディ５００の取付凹部５１０に嵌合した状態で、当該レセプタクルボディ５００の接続凹部５４０に嵌合する。このように凸部１８０が取付凹部５１０に、前記コンタクト保持部が接続凹部５４０に嵌合することにより、プラグＰがレセプタクルＲに機械的に接続されるようになっている。
【００４０】
前記壁部には、第１のシールド部材３００の４つのガイド突起３１１をガイドする４つの第２のガイド溝１７２が設けられている。
【００４１】
プラグコンタクト２００は、図２、図４及び図５に示すように、鉤状の導電端子である。このプラグコンタクト２００は、プラグボディ１００のコンタクト保持部の上面から露出する第１の接続部２１０と、プラグボディ１００のコンタクト保持部の正面及び下面から露出する第２の接続部２２０とを有する。
【００４２】
第１の接続部２１０はケーブル１０と半田接続される部位である。第２の接続部２２０は、前記コンタクト保持部と共にレセプタクルボディ５００の接続凹部５４０に嵌合し、接続凹部５４０内のレセプタクルコンタクト６００に圧接する部位である。このように第２の接続部２２０が接続凹部５４０に嵌合し、レセプタクルコンタクト６００に圧接することにより、プラグＰがレセプタクルＲに電気的に接続される。
【００４３】
以下、このようにプラグＰがレセプタクルＲに電気的且つ機械的に接続された状態を完全接続状態と称する（図１１（ａ）参照）。
【００４４】
第１のシールド部材３００は、導電性を有する板状体である。この第１のシールド部材３００は、図２及び図４に示すように、中間板３１０と、この中間板３１０の長さ方向の両端部に連続して設けられた断面略Ｌ字状の２つの側板３２０と、中間板３１０の幅方向の一端部に直角に連続して設けられた第１の支持部３３０と、２つの側板３２０の中間板３１０に対して平行な部分の幅方向の一端部に連続して設けられた２つの第１の係止アーム３４０と、２つの側板３２０の前記平行な部分の長さ方向の外側の端部に連続して設けられた２つの第２の係止アーム３５０とを有している。
【００４５】
中間板３１０はプラグボディ１００の中間部の背面を覆うようになっている。中間板３１０には、プラグボディ１００の４つの第２のガイド溝１７２に嵌まり込む４つのガイド突起３１１が間隔を空けて設けられている。
【００４６】
側板３２０はプラグボディ１００の両端部の内側の角部を覆うようになっている。第２の係止アーム３５０はプラグボディ１００の両端部の前記角部を除く背面部分を覆うようになっている。
【００４７】
第１の係止アーム３４０の先端部は下方に向けて略Ｕ字状に湾曲している。この第１の係止アーム３４０の先端部が、プラグボディ１００の係止穴１５０に嵌まり込み、係止される。また、第１の係止アーム３４０の後端部には、図３（ｂ）に示すように、第２のシールド部材４００の第２の係止口４６１に係止される第１の係止片３４１が設けられている。
【００４８】
第２の係止アーム３５０の先端部は内側に向けて略Ｕ字状に湾曲している。この第２の係止アーム３５０の先端部が、プラグボディ１００の係止溝１６０に嵌まり込み、係止される。この第２の係止アーム３５０の後端部には、図３（ｂ）に示すように、第２のシールド部材４００の第１の係止口４３１に係止される第２の係止片３５１が設けられている。
【００４９】
第１の支持部３３０は、矩形状の板状体であって、その先端部が下方に向けて湾曲している。この第１の支持部３３０はプラグコンタクト２００の第１の接続部２１０に半田接続された複数のケーブル１０が載置される。
【００５０】
第２のシールド部材４００は、導電性を有する板状体である。この第２のシールド部材４００は、図１乃至図４に示すように、第１の板部４１０と、この第１の板部４１０の長さ方向の両端部に各々直角に連続して設けられた２つの第２の板部４２０と、２つの第２の板部４２０の長さ方向の一端部に各々直角に連続して設けられた２つの板状の第１の係止部４３０と、第１の板部４１０の幅方向の一端部に連続して設けられた断面略Ｌ字状の第３の板部４４０と、第３の板部４４０の先端部の中央部に連続して設けられた第２の支持部４５０と、第３の板部４４０の先端部の両端部に略直角に連続して設けられた２つの板状の第２の係止部４６０と、第２の板部４２０の幅方向の一端部に連続して設けられた嵌合アーム４７０とを有する。
【００５１】
第１の板部４１０はプラグボディ１００の正面を覆うようになっている。第１の板部４１０には、プラグボディ１００の２つの第１のガイド溝１７１に嵌まり込む２つのガイド突起４１１と、プラグボディ１００の２つの係止凸部１９０が嵌まり込む２つの係止孔部４１２とが設けられている。
【００５２】
第２の板部４２０はプラグボディ１００の側面を覆うようになっている。
【００５３】
第３の板部４４０はプラグボディ１００の中間部の上面を覆うようになっている。この第３の板部４４０には、プラグボディ１００の嵌合凹部１１０にプラグＰの外部に向けて開放する切欠き部４４１が設けられている。
【００５４】
第１の係止部４３０は第１のシールド部材３００の第２の係止アーム３５０を覆うようになっている。第１の係止部４３０には、図３（ｂ）に示すように、第２の係止アーム３５０の第２の係止片３５１を係止する第１の係止口４３１が設けられている。
【００５５】
第２の係止部４６０は第１のシールド部材３００の第１の係止アーム３４０を覆うようになっている。第２の係止部４６０には、図３（ｂ）に示すように、第１の係止アーム３４０の第１の係止片３４１を係止する第２の係止口４６１が設けられている。
【００５６】
嵌合アーム４７０は、略Ｕ字状の部位であって、プラグボディ１００の第２のガイド凸部１４０の凸部本体に嵌合するようになっている。
【００５７】
第２の支持部４５０は、第１のシールド部材３００の第１の支持部３３０との間で、プラグコンタクト２００の第１の接続部２１０に半田接続された複数のケーブル１０を挟持する。これにより、複数のケーブル１０が上下に引っ張られる等により、当該ケーブル１０に負荷がかかったとしても、前記半田接続が外れないようになっている。
【００５８】
レセプタクルＲは、図１、図６乃至図８に示すように、レセプタクルボディ５００と、このレセプタクルボディ５００の中間部にその長さ方向に並列に配設される複数のレセプタクルコンタクト６００と、レセプタクルボディ５００の背面、両側面及び正面の両端部を覆う第３のシールド部材７００とを備えている。以下、レセプタクルＲの各部について詳しく説明する。
【００５９】
レセプタクルボディ５００は略矩形状の樹脂成形品である。このレセプタクルボディ５００の両端部の上面には、図８に示すように、プラグＰの凸部１８０が嵌まり込む略矩形状の２つの取付凹部５１０が設けられている。レセプタクルボディ５００の両端部の下面には、２つの取付凹部５１０と連通する２つの挿入孔５２０が設けられている。この挿入孔５２０及び取付凹部５１０には、第３のシールド部材７００の第４の板部７４０が挿入される。また、レセプタクルボディ５００の両端面には、２つの取付凹部５１０及び挿入孔５２０と連通する２つの開口５３０が設けられている。
【００６０】
レセプタクルボディ５００の中間部の上面には、２つの取付凹部５１０を繋ぐ矩形状の接続凹部５４０が設けられている。この接続凹部５４０には、２つのプラグＰのコンタクト保持部及びプラグコンタクト２００の第２の接続部２２０が嵌まり込む。一方、レセプタクルボディ５００の中間部の下面には、図６（ｂ）に示すように、複数のレセプタクルコンタクト６００が挿入される断面略Ｕ字状の複数のスリット５５０が設けられている。
【００６１】
この複数のスリット５５０の一方の穴部５５１の上端部は、図６（ａ）及び図８に示すように、開放されている。複数のスリット５５０の他方の穴部５５２の上端部は、接続凹部５４０に各々連通している。
【００６２】
レセプタクルボディ５００の両端部の正面には、図７（ａ）に示すように、第３のシールド部材７００の２つのガイド片７６２が嵌まり込む２つのガイド溝５６１が設けられている。また、レセプタクルボディ５００の中間部の背面には、図７（ｂ）に示すように、第３のシールド部材７００の４つのガイド片７６１が嵌まり込む４つのガイド溝５６２が設けられている。
【００６３】
レセプタクルボディ５００の両端部の２つのガイド溝５６１の内側部には、図７（ａ）に示すように、第３のシールド部材７００の２つの係止孔部７７２に係止される２つの係止凸部５７１が設けられている。レセプタクルボディ５００の中間部の４つのガイド溝５６２の両側部にも、図７（ｂ）に示すように、第３のシールド部材７００の２つの係止孔部７７１に係止される２つの係止凸部５７２が設けられている。
【００６４】
また、レセプタクルボディ５００の中間部の下面の複数のスリット５５０の両側部には、図６（ｂ）に示すように、第３のシールド部材７００の２つの係止アーム７５０が嵌まり込む２つの係止穴５８０が設けられている。
【００６５】
レセプタクルコンタクト６００の先端部は、図９に示すように、スリット５５０の一方の穴部５５１に挿入される第１のアーム部６１０と、スリット５５０の他方の穴部５５２及び接続凹部５４０に挿入される第２のアーム部６２０を有する二股状になっている。第２のアーム部６２０は、接続凹部５４０に嵌まり込むプラグコンタクト２００の第２の接続部２２０に接触する。
【００６６】
レセプタクルコンタクト６００の基端部は、レセプタクルボディ５００の下面から外部に露出している。この基端部が、レセプタクルボディ５００が実装される図示しない基板に電気的に接続される。
【００６７】
第３のシールド部材７００は、導電性を有する板状体である。この第３のシールド部材７００は、図８に示すように、第１の板部７１０と、この第１の板部７１０の両端部に直角に連続して設けられた２つの第２の板部７２０と、２つの第２の板部７２０の端部に直角に連続して設けられた２つの第３の板部７３０と、２つの第２の板部７２０の下端部に連続して設けられた２つの断面略Ｌ字状の第４の板部７４０と、２つの第３の板部７３０の下端部の内側部に設けられた２つの係止アーム７５０と、第１の板部７１０に設けられた４つのガイド片７６１と、２つの第３の板部７３０に設けられた２つのガイド片７６２と、第１の板部７１０の４つのガイド片７６１の両側部に設けられた２つの係止孔部７７１と、２つの第３の板部７３０の２つのガイド片７６２の内側部に設けられた２つの係止孔部７７２とを有する。
【００６８】
第１の板部７１０はレセプタクルボディ５００の背面を覆うようになっている。第２の板部７２０はレセプタクルボディ５００の側面を覆うようになっている。第３の板部７３０はレセプタクルボディ５００の正面の端部を覆うようになっている。
【００６９】
第４の板部７４０は、図６（ａ）及び図１１に示すように、レセプタクルボディ５００の挿入孔５２０及び取付凹部５１０に挿入される。
【００７０】
係止アーム７５０は、図６（ｂ）に示すように、レセプタクルボディ５００の係止穴５８０に係止される。
【００７１】
ガイド片７６１はガイド溝５６２に嵌まり込みガイドされる。ガイド片７６２はガイド溝５６１に嵌まり込みガイドされる。
【００７２】
係止孔部７７１は、当該係止孔部７７１に嵌まり込んだ係止凸部５７２を係止する。係止孔部７７２は、当該係止孔部７７２に嵌まり込んだ係止凸部５７１を係止する。
【００７３】
インジケータ構造Ｓは、図２、図１０及び図１１に示すように、プラグＰとレセプタクルＲとが接続された状態で当該プラグＰ及びレセプタクルＲをロックする２つのロック手段Ｓ１と、このロック手段Ｓ１の係止部材８００をプラグＰの上面（脱方向の端部）から外部に向けて露出させる開口部Ｓ２とを備えている。以下、インジケータ構造Ｓの各部について詳しく説明する。
【００７４】
開口部Ｓ２は、プラグボディ１００の嵌合凹部１１０と、第２のシールド部材４００の切欠き部４４１とにより構成される。
【００７５】
ロック手段Ｓ１は、図１１に示すように、プラグＰのプラグボディ１００の嵌合凹部１１０の深部１１１の壁部（即ち、凸部１８０の壁部）に設けられるプラグ側係止孔１１１ａと、レセプタクルＲの第３のシールド部材７００の第４の板部７４０に設けられており且つプラグ側係止孔１１１ａと略同形の孔であるレセプタクル側係止孔７４１と、プラグＰとレセプタクルＲとが接続された状態で、プラグ側係止孔１１１ａ及びレセプタクル側係止孔７４１に係止される係止部材８００とを有する。
【００７６】
プラグ側係止孔１１１ａとレセプタクル側係止孔７４１とは、プラグボディ１００の凸部１８０がレセプタクルＲの取付凹部５１０に嵌合した状態で、互いに一致し連通するようになっている。即ち、プラグ側係止孔１１１ａとレセプタクル側係止孔７４１とが互いに一致し連通した状態で、プラグＰとレセプタクルＲとが電気的且つ機械的に接続される前記完全接続状態となる。
【００７７】
係止部材８００は、図４及び図１１に示すように、板バネを折り曲げて作成されたロックピンであり且つプラグＰとレセプタクルＲとを前記完全接続状態でロックする。この係止部材８００は、作業者によって把持される把持部８１０と、この把持部８１０の両端部に連続して設けられた２つのガイド板８２０と、把持部８１０の下端部に連続して設けられた挿入板８３０と、挿入板８３０の先端部に設けられた係止爪８４０と、把持部８１０の先端部に連続して設けられた目隠し部８５０とを有している。なお、挿入板８３０及び係止爪８４０が特許請求の範囲の係止部となる。
【００７８】
ガイド板８２０は、第１のガイド凸部１３０にガイドされる上端部と、この上端部より幅狭であり且つプラグボディ１００のガイド穴１２０に嵌まり込みガイドされる下端部とを有する。
【００７９】
挿入板８３０は、プラグボディ１００の嵌合凹部１１０の深部１１１に嵌まり込む先端部８３１と、プラグボディ１００の嵌合凹部１１０の浅瀬部１１２に嵌まり込む基端部８３２とを有する略Ｌ字状の板体である。
【００８０】
係止爪８４０は、図１０（ａ）及び図１１（ａ）に示すように、プラグ側係止孔１１１ａ及びレセプタクル側係止孔７４１が互いに一致し連通している場合には、当該プラグ側係止孔１１１ａ及びレセプタクル側係止孔７４１に嵌まり込み係止される。一方、係止爪８４０は、図１０（ｂ）及び図１１（ｂ）に示すように、プラグ側係止孔１１１ａ及びレセプタクル側係止孔７４１が互いに一致していない場合には、プラグ側係止孔１１１ａ及びレセプタクル側係止孔７４１に嵌まり込まず、プラグボディ１００の深部１１１の壁部のプラグ側係止孔１１１ａの縁部に当接する。
【００８１】
換言すると、図１０（ａ）及び図１１（ａ）に示すように、係止爪８４０がプラグ側係止孔１１１ａ及びレセプタクル側係止孔７４１に係止された状態（ロック手段Ｓ１のロック状態）が、プラグＰとレセプタクルＲとが電気的且つ機械的に接続された前記完全接続状態となる。一方、図１０（ｂ）及び図１１（ｂ）に示すように、係止爪８４０がプラグボディ１００の深部１１１の壁部のプラグ側係止孔１１１ａの縁部に当接した状態（ロック手段Ｓ１の不完全ロック状態）が、プラグＰとレセプタクルＲとが電気的且つ機械的に完全に接続されていない不完全接続状態となる。
【００８２】
目隠し部８５０は、挿入板８３０の基端部８３２と平行に位置する板体であって、挿入板８３０及び係止爪８４０を上方から開口部Ｓ２を通じて視認できないように覆っている。
【００８３】
即ち、図１０（ａ）及び図１１（ａ）に示すように、係止爪８４０がプラグ側係止孔１１１ａ及びレセプタクル側係止孔７４１に係止され、挿入板８３０の先端部８３１が嵌合凹部１１０の深部１１１の壁部に沿って略平行に位置しているとき（即ち、ロック手段Ｓ１のロック状態にあるとき）には、目隠し部８５０が挿入板８３０及び係止爪８４０を上方から視認できないように覆う。
【００８４】
一方、図１０（ｂ）及び図１１（ｂ）に示すように、係止爪８４０がプラグボディ１００の嵌合凹部１１０の壁部のプラグ側係止孔１１１ａの縁部に当接しており、挿入板８３０が弾性変形し、その先端部８３１が深部１１１の壁部に対して斜めに位置しているとき（即ち、ロック手段Ｓ１の不完全ロック状態）には、挿入板８３０の先端部８３１及び係止爪８４０が目隠し部８５０から突出する。この突出した挿入板８３０の先端部８３１及び係止爪８４０が開口部Ｓ２を通じてプラグＰの外部に露出する。
【００８５】
以下、このような構成のコネクタのプラグＰ及びレセプタクルＲの組立手順について説明する。
【００８６】
まず、第１のシールド部材３００の４つのガイド突起３１１をプラグボディ１００の４つのガイド溝１７２に位置合わせしつつ挿入する。これと共に、第１のシールド部材３００の第１の係止アーム３４０の先端部をプラグボディ１００の係止穴１５０に、第２の係止アーム３５０の先端部をプラグボディ１００の係止溝１６０に挿入する。このようにしてプラグボディ１００に第１のシールド部材３００を取り付ける。
【００８７】
これにより、第１のシールド部材３００の中間板３１０がプラグボディ１００の中間部の背面を覆う。第１のシールド部材３００の側板３２０がプラグボディ１００の両端部の内側の角部を覆う。第１のシールド部材３００の第２の係止アーム３５０はプラグボディ１００の両端部の前記角部を除く背面部分を覆う。
【００８８】
その後、プラグボディ１００の上面から露出する複数のプラグコンタクト２００の第１の接続部２１０に複数のケーブル１０の信号線を接触させると共に、当該ケーブル１０を第１のシールド部材３００の第１の支持部３３０上に載置する。そして、パルスヒート方式により複数のプラグコンタクト２００の第１の接続部２１０に複数のケーブル１０の信号線を各々半田接続する。
【００８９】
その後、第２のシールド部材４００の２つのガイド突起４１１をプラグボディ１００の２つの第１のガイド溝１７１に上方から位置合わせしつつ挿入する。
【００９０】
そして、第２のシールド部材４００の２つの係止孔部４１２にプラグボディ１００の２つの係止凸部１９０を嵌め込む。これと共に、第２のシールド部材４００の第２の係止口４６１に第１のシールド部材３００の第１の係止片３４１を嵌め込み、第１の係止部４３０の第１の係止口４３１に第１のシールド部材３００の第２の係止片３５１を嵌め込む。
【００９１】
その後、第２のシールド部材４００の２つの第２の板部４２０上の板部の両端部を内側に折り曲げ、プラグボディ１００の第２のガイド凸部１４０の凸部本体に嵌合させる。即ち、前記板部が嵌合アーム４７０となる。
【００９２】
このように第２のシールド部材４００がプラグボディ１００に取り付けられると、プラグコンタクト２００の第１の接続部２１０に半田接続された複数のケーブル１０が、第１のシールド部材３００の第１の支持部３３０と、第２のシールド部材４００の第２の支持部４５０との間で挟持される。
【００９３】
その一方で、レセプタクルボディ５００の複数のスリット５５０に複数のレセプタクルコンタクト６００を下方から挿入する。すると、レセプタクルコンタクト６００の第１のアーム部６１０がスリット５５０の一方の穴部５５１に、第２のアーム部６２０がスリット５５０の他方の穴部５５２及び接続凹部５４０に挿入される。このようにしてレセプタクルボディ６００に複数のレセプタクルコンタクト６００を取り付ける。
【００９４】
その後、第３のシールド部材７００のガイド片７６１を、レセプタクルボディ５００のガイド溝５６２に下方から挿入すると共に、当該第３のシールド部材７００のガイド片７６２を当該レセプタクルボディ５００のガイド溝５６１に下方から挿入する。
【００９５】
このとき、第３のシールド部材７００の２つの第４の板部７４０を、レセプタクルボディ５００の両端部の挿入孔５２０及び取付凹部５１０に各々挿入する。これと共に、第３のシールド部材７００の２つの係止アーム７５０を、レセプタクルボディ５００の中間部の２つの係止穴５８０に各々挿入し係止させる。
【００９６】
すると、第３のシールド部材７００の２つの係止孔部７７１にレセプタクルボディ５００の係止凸部５７２が嵌まり込む。これと共に、第３のシールド部材７００の係止孔部７７２にレセプタクルボディ５００の係止凸部５７１が嵌まり込む。このようにしてレセプタクルボディ５００に第３のシールド部材７００を取り付ける。
【００９７】
これにより、第３のシールド部材７００の第１の板部７１０がレセプタクルボディ５００の背面を覆う。２つの第２の板部７２０はレセプタクルボディ５００の両側面を覆う。２つの第３の板部７３０はレセプタクルボディ５００の正面の両端部を覆う。
【００９８】
以下、プラグＰをレセプタクルＲに接続する手順について説明すると共に、プラグＰとレセプタクルＲとの接続状態をチェックする手順について説明する。
【００９９】
まず、プラグＰの２つの凸部１８０をレセプタクルＲの２つの取付凹部５１０に位置合わせしつつ挿入する。すると、プラグＰの前記コンタクト保持部がレセプタクルＲの接続凹部５４０に嵌合する。
【０１００】
このとき、プラグＰの２つの凸部１８０が、図１１（ａ）に示すように、レセプタクルＲの２つの取付凹部５１０の底面まで押し込められると、プラグＰの複数のプラグコンタクト２００がレセプタクルＲのレセプタクルコンタクト６００に圧接する。これにより、プラグＰがレセプタクルＲに電気的且つ機械的に接続され、前記完全接続状態となる。
【０１０１】
すると、ガイド凸部１３０の壁部のプラグ側係止孔１１１ａと、取付凹部５１０内の第４の板部７４０のレセプタクル側係止孔７４１とが略完全に一致し連通する。
【０１０２】
その後、係止部材８００の２つのガイド板８２０をプラグボディ１００の２つのガイド凸部１３０にガイドさせつつ、当該ガイド板８２０の下端部をプラグボディ１００の２つのガイド穴１２０に挿入させると共に、係止部材８００の挿入板８３０及び係止爪８４０をプラグボディ１００の嵌合凹部１１０に挿入させる。
【０１０３】
このとき、係止部材８００の挿入板８３０が弾性変形しつつ、当該係止部材８００の係止爪８４０が嵌合凹部１１０の深部１１１の壁部上を当該深部１１１の底部に向けて移動する。そして、係止部材８００の係止爪８４０が嵌合凹部１１０の深部１１１の壁部のプラグ側係止孔１１１ａに達すると、係止部材８００の挿入板８３０の復帰力により、係止爪８４０がプラグ側係止孔１１１ａと、取付凹部５１０内の第４の板部７４０のレセプタクル側係止孔７４１とに嵌まり込み、係止される。
【０１０４】
すると、挿入板８３０の先端部８３１が嵌合凹部１１０の深部１１１の壁部に沿って略平行に位置する。これにより、挿入板８３０及び係止爪８４０が目隠し部８５０の下に隠れる。
【０１０５】
一方、プラグＰの２つの凸部１８０が、図１１（ｂ）に示すように、レセプタクルＲの２つの取付凹部５１０の底面まで押し込められないと、プラグＰの複数のプラグコンタクト２００がレセプタクルＲのレセプタクルコンタクト６００に接触しない又はプラグコンタクト２００がレセプタクルＲのレセプタクルコンタクト６００に対して両者の電気的な接続に必要な圧接をしない。このため、プラグＰがレセプタクルＲに電気的且つ機械的に接続されず、前記不完全接続状態となる。
【０１０６】
このとき、嵌合凹部１１０の深部１１１の壁部のプラグ側係止孔１１１ａと、取付凹部５１０内に位置する第４の板部７４０のレセプタクル側係止孔７４１とが略完全に一致していない。
【０１０７】
この状態で、上述の通り、係止部材８００の挿入板８３０及び係止爪８４０をプラグボディ１００の嵌合凹部１１０に挿入すると、係止部材８００の挿入板８３０が弾性変形しつつ、当該係止部材８００の係止爪８４０が嵌合凹部１１０の深部１１１の壁部上を当該深部１１１の底部に向けて移動する。そして、プラグ側係止孔１１１ａ及びレセプタクル側係止孔７４１が略完全に一致して連通していないことから、係止部材８００の係止爪８４０が嵌合凹部１１０の深部１１１の壁部のプラグ側係止孔１１１ａの縁部に当接する。このため、挿入板８３０は弾性変形したままの状態が維持され、その先端部８３１が深部１１１の壁部に対して斜めに位置する。これにより、挿入板８３０の先端部８３１及び係止爪８４０が目隠し部８５０から突出する。
【０１０８】
以上のことから、前記コネクタは、係止部材８００の挿入板８３０の先端部８３１及び係止爪８４０が目隠し部８５０から突出しておらず、開口部Ｓ２を通じて視認できない場合には、プラグＰとレセプタクルＲとが前記完全接続状態であると分かる一方、係止部材８００の挿入板８３０の先端部８３１及び係止爪８４０が目隠し部８５０から突出し、開口部Ｓ２を通じて視認できる場合には、プラグＰとレセプタクルＲとが不完全接続状態であると分かる。よって、プラグＰ及びレセプタクルＲの不完全接続状態を従来例と比べて容易に発見することができ、その見逃しを低減することができる。
【実施例２】
【０１０９】
次に、本発明の第２の実施の形態に係るコネクタについて図面を参照しつつ説明する。図１２は本発明の第２の実施の形態に係るコネクタの長さ方向の一端部を示す概略的平面図であって、（ａ）がプラグとレセプタクルとの完全接続状態を示す図、（ｂ）がプラグとレセプタクルとの不完全接続状態を示す図、図１３は同コネクタの長さ方向の一端部の概略的縦断面図であって、（ａ）がプラグとレセプタクルとの完全接続状態を示す図、（ｂ）がプラグとレセプタクルとの不完全接続状態を示す図、図１４は同コネクタの設計変更例を示す長さ方向の一端部を示す概略的平面図であって、（ａ）がプラグとレセプタクルとの完全接続状態を示す図、（ｂ）がプラグとレセプタクルとの不完全接続状態を示す図である。
【０１１０】
図１２及び図１３に示すコネクタは、実施例１のコネクタとインジケータ構造Ｓの係止部材８００’の形状の点で相違している。以下、その相違点について詳しく説明し、重複する説明は省略する。なお、係止部材の符号として’を付して、実施例１の係止部材８００と区別する。
【０１１１】
係止部材８００’は、挿入板８３０’の基端部８３２’に識別マーク８３２ａ’が付されている点及び目隠し部８５０’に識別マーク８３２ａ’を露出させる貫通孔部８５１’が設けられている点で係止部材８００と相違している。以下、詳しく説明する。
【０１１２】
識別マーク８３２ａ’は、図１２（ａ）に示すように、係止爪８４０’がプラグ側係止孔１１１ａ及びレセプタクル側係止孔７４１に係止され、挿入板８３０’の先端部８３１’が嵌合凹部１１０の深部１１１の壁部に沿って略平行に位置しているとき（即ち、ロック手段Ｓ１のロック状態にあるとき）に、目隠し部８５０’の貫通孔部８５１’から露出する一方、図１２（ｂ）に示すように、係止爪８４０’がプラグボディ１００の嵌合凹部１１０の壁部のプラグ側係止孔１１１ａの縁部に当接しており、挿入板８３０’が弾性変形し、その先端部８３１’が深部１１１の壁部に対して斜めに位置しているとき（即ち、ロック手段Ｓ１の不完全ロック状態）に、目隠し部８５０’に基端部８３２’隠れるように付されている。
【０１１３】
以下、プラグＰをレセプタクルＲに接続する手順について説明すると共に、プラグＰとレセプタクルＲとの接続状態をチェックする手順について説明する。
【０１１４】
まず、プラグＰの２つの凸部１８０をレセプタクルＲの２つの取付凹部５１０に位置合わせしつつ挿入する。すると、プラグＰの前記コンタクト保持部がレセプタクルＲの接続凹部５４０に嵌合する。
【０１１５】
このとき、プラグＰの２つの凸部１８０が、図１３（ａ）に示すように、レセプタクルＲの２つの取付凹部５１０の底面まで押し込められると、プラグＰの複数のプラグコンタクト２００がレセプタクルＲのレセプタクルコンタクト６００に圧接する。これにより、プラグＰがレセプタクルＲに電気的且つ機械的に接続され、前記完全接続状態となる。
【０１１６】
すると、ガイド凸部１３０の壁部のプラグ側係止孔１１１ａと、取付凹部５１０内の第４の板部７４０のレセプタクル側係止孔７４１とが略完全に一致し連通する。
【０１１７】
その後、係止部材８００’の２つのガイド板８２０’をプラグボディ１００の２つのガイド凸部１３０にガイドさせつつ、当該ガイド板８２０’をプラグボディ１００の２つのガイド穴１２０に挿入させると共に、係止部材８００の挿入板８３０及び係止爪８４０をプラグボディ１００の嵌合凹部１１０に挿入させる。
【０１１８】
このとき、係止部材８００’の挿入板８３０’が弾性変形しつつ、当該係止部材８００’の係止爪８４０’が嵌合凹部１１０の深部１１１の壁部上を当該深部１１１の底部に向けて移動する。そして、係止部材８００’の係止爪８４０’が嵌合凹部１１０の深部１１１の壁部のプラグ側係止孔１１１ａに達すると、係止部材８００’の挿入板８３０’の復帰力により、係止爪８４０’がプラグ側係止孔１１１ａと、取付凹部５１０内の第４の板部７４０のレセプタクル側係止孔７４１とに嵌まり込み、係止される。
【０１１９】
すると、挿入板８３０’の先端部８３１’が嵌合凹部１１０の深部１１１の壁部に沿って略平行に位置する。これにより、挿入板８３０’及び係止爪８４０’が目隠し部８５０’の下に隠れると共に、図１２（ａ）に示すように、挿入板８３０’の識別マーク８３２ａ’が目隠し部８５０’の貫通孔部８５１’から上方に露出する。
【０１２０】
一方、プラグＰの２つの凸部１８０が、図１３（ｂ）に示すように、レセプタクルＲの２つの取付凹部５１０の底面まで押し込められないと、プラグＰの複数のプラグコンタクト２００がレセプタクルＲのレセプタクルコンタクト６００に接触しない又はプラグコンタクト２００がレセプタクルＲのレセプタクルコンタクト６００に両者の電気的な接続に必要な圧接をしない。このため、プラグＰがレセプタクルＲに電気的且つ機械的に接続されず、前記不完全接続状態となる。
【０１２１】
このとき、嵌合凹部１１０の深部１１１の壁部のプラグ側係止孔１１１ａと、取付凹部５１０内に位置する第４の板部７４０のレセプタクル側係止孔７４１とが略完全に一致していない。
【０１２２】
この状態で、上述の通り、係止部材８００’の挿入板８３０’及び係止爪８４０’をプラグボディ１００の嵌合凹部１１０に挿入すると、係止部材８００’の挿入板８３０’が弾性変形しつつ、当該係止部材８００’の係止爪８４０’が嵌合凹部１１０の深部１１１の壁部上を当該深部１１１の底部に向けて移動する。そして、プラグ側係止孔１１１ａ及びレセプタクル側係止孔７４１が略完全に一致して連通していないことから、係止部材８００’の係止爪８４０’が嵌合凹部１１０の深部１１１の壁部のプラグ側係止孔１１１ａの縁部に当接する。このため、挿入板８３０’は弾性変形したままの状態が維持され、その先端部８３１’が深部１１１の壁部に対して斜めに位置する。これにより、挿入板８３０’及び係止爪８４０’が目隠し部８５０から突出すると共に、図１２（ｂ）に示すように、挿入板８３０’の識別マーク８３２ａ’が目隠し部８５０’に隠れる。
【０１２３】
以上のことから、前記コネクタは、係止部材８００’の挿入板８３０’の識別マーク８３２ａ’が目隠し部８５０’の貫通孔部８５１’から露出しており、開口部Ｓ２を通じて視認できる場合には、プラグＰとレセプタクルＲとが前記完全接続状態であると分かる一方、係止部材８００’の挿入板８３０’の識別マーク８３２ａ’が目隠し部８５０’に隠れており、開口部Ｓ２を通じて視認できない場合には、プラグＰとレセプタクルＲとが不完全接続状態であると分かる。よって、プラグＰ及びレセプタクルＲの不完全接続状態を従来例と比べて容易に発見することができ、その見逃しを低減することができる。
【０１２４】
なお、プラグＰは、上記構成に限定されず、レセプタクルに電気的且つ機械的に接続されるものである限り任意に設計変更することが可能である。レセプタクルＲについても、同様であり、プラグが電気的且つ機械的に接続されるものである限り任意に設計変更することが可能である。
【０１２５】
インジケータ構造Ｓは、前記プラグと前記レセプタクルとが接続された状態で当該プラグ及びレセプタクルをロックするロック手段と、プラグ又はレセプタクルに設けられ、ロック手段をプラグ又はレセプタクルの外部から視認可能に露出させる開口部とを備えている限り任意に設計変更することが可能である。
【０１２６】
開口部Ｓ２については、係止部材８００又は係止部材８００’が嵌合するプラグボディ１００の嵌合凹部１１０と、第２のシールド部材４００の切欠き部４４１とにより構成されるとしたが、係止部材８００又は係止部材８００’の嵌合とは別に、少なくとも当該係止部材８００又は係止部材８００’を外部に露出させるように設計変更することもできる。このような開口部は、上述の如く、プラグだけでなく、レセプタクルに設けることも可能である。
【０１２７】
係止部材８００、８００’については、プラグＰとレセプタクルＲとが接続された状態で、プラグ側係止孔１１１ａ及びレセプタクル側係止孔７４１に係止されるとしたが、これに限定されるものではない。
【０１２８】
例えば、前記係止部材をレセプタクル又はプラグに設け、当該プラグとレセプタクルとが接続された状態でプラグ又はレセプタクルに設けられた係止孔に係止されるように設計変更することもできる。なお、係止部材及びプラグに係止孔を設け、レセプタクルに設けた係止手段を前記係止孔に係止させることもできるし、係止部材及びレセプタクルに係止孔を設け、プラグに設けた係止手段を前記係止孔に係止させることもできる。
【０１２９】
プラグ側係止孔１１１ａ及びレセプタクル側係止孔７４１は、前記完全接続状態で、互いに一致するように連通するとしたが、前記係止部材を係止し得る程度に連通する形状であれば良い。
【０１３０】
また、目隠し部８５０、８５０’については、設けるか否かは任意である。また、前記目隠し部は、プラグ側係止孔及びレセプタクル側係止孔に係止された状態の係止部材の係止部を覆い、開口部を通じて露出不能にする、又は、プラグ側係止孔又はレセプタクル側係止孔の縁部に当接した状態の前記係止部が突出し、開口部を通じて露出可能になるものである限り任意に設計変更することが可能である。
【０１３１】
識別マーク８３２ａ’については設けるか否かは任意である。この識別マークは、係止部材８００’の係止爪８４０’がプラグ側係止孔１１１ａ及びレセプタクル側係止孔７４１に係止された状態で、貫通孔部８５１’から露出するとしたが、これに限定されるものではない。例えば、前記識別マークは、係止部材がプラグ側係止孔又はレセプタクル側係止孔の縁部に当接した状態で、前記目隠し部の貫通孔部から露出するようにしても良い。
【０１３２】
また、前記識別マークは、図１４に示すように、係止部材がプラグ側係止孔及びレセプタクル側係止孔に係止された状態で、開口部を通じて露出するように前記係止部材に付すようにしても良いし、前記係止部材がプラグ側係止孔又はレセプタクル側係止孔の縁部に当接した状態で、開口部を通じて露出するように前記係止部材に付すようにしても良い。
【０１３３】
また、係止部材が前述のように、プラグ又はレセプタクルに設けられる場合には、前記識別マークは、前記係止部材がレセプタクル又はプラグに設けられた係止孔に係止された状態で、開口部を通じて露出するように前記係止部材に付すこともできるし、前記係止孔の縁部に当接した状態で、開口部を通じて露出するように前記係止部材に付すこともできる。
【０１３４】
なお、識別マークは、視認可能なものである限りどのようなものであっても良い。
【図面の簡単な説明】
【０１３５】
【図１】本発明の第１の実施の形態に係るコネクタの斜視図であって、プラグとレセプタクルとの接続前の状態を示す図である。
【図２】同コネクタのプラグを示す図であって、（ａ）が平面図、（ｂ）が底面図である。
【図３】同コネクタのプラグを示す図であって、（ａ）が正面図、（ｂ）が背面図、（ｃ）が側面図である。
【図４】同コネクタのプラグの分解斜視図である。
【図５】同コネクタのプラグのプラグコンタクトの斜視図である。
【図６】同コネクタのレセプタクルを示す図であって、（ａ）が平面図、（ｂ）が底面図である。
【図７】同コネクタのレセプタクルを示す図であって、（ａ）が正面図、（ｂ）が背面図、（ｃ）が側面図である。
【図８】同コネクタのレセプタクルの分解斜視図である。
【図９】同コネクタのレセプタクルのレセプタクルコンタクトの斜視図である。
【図１０】同コネクタの長さ方向の一端部を示す概略的平面図であって、（ａ）がプラグとレセプタクルとの完全接続状態を示す図、（ｂ）がプラグとレセプタクルとの不完全接続状態を示す図である。
【図１１】同コネクタの長さ方向の一端部の概略的縦断面図であって、（ａ）がプラグとレセプタクルとの完全接続状態を示す図、（ｂ）がプラグとレセプタクルとの不完全接続状態を示す図である。
【図１２】本発明の第２の実施の形態に係るコネクタの長さ方向の一端部を示す概略的平面図であって、（ａ）がプラグとレセプタクルとの完全接続状態を示す図、（ｂ）がプラグとレセプタクルとの不完全接続状態を示す図である。
【図１３】同コネクタの長さ方向の一端部の概略的縦断面図であって、（ａ）がプラグとレセプタクルとの完全接続状態を示す図、（ｂ）がプラグとレセプタクルとの不完全接続状態を示す図である。
【図１４】同コネクタの設計変更例を示す長さ方向の一端部を示す概略的平面図であって、（ａ）がプラグとレセプタクルとの完全接続状態を示す図、（ｂ）がプラグとレセプタクルとの不完全接続状態を示す図である。
【符号の説明】
【０１３６】
Ｐ  プラグ
１００  プラグボディ
２００  プラグコンタクト
２１０  第１の接続部（プラグコンタクトの一部）
３００  第１のシールド部材
３３０  第１の支持部
４００  第２のシールド部材
４５０  第２の支持部
１０  ケーブル
Ｒ  レセプタクル
Ｓ  インジケータ構造
Ｓ１  ロック手段
８００  係止部材
８３０  挿入板
８４０  係止爪
８５０  目隠し部
８００’  係止部材
８３０’  挿入板
８３２ａ’  識別マーク
８４０’  係止爪
８５０’  目隠し部
８５１’  貫通孔部
１１１ａ  プラグ側係止孔
７４１    レセプタクル側係止孔
Ｓ２  開口部
【図１】
2008282583.tif 000003
【図２】
2008282583.tif 000004
【図３】
2008282583.tif 000005
【図４】
2008282583.tif 000006
【図５】
2008282583.tif 000007
【図６】
2008282583.tif 000008
【図７】
2008282583.tif 000009
【図８】
2008282583.tif 000010
【図９】
2008282583.tif 000011
【図１０】
2008282583.tif 000012
【図１１】
2008282583.tif 000013
【図１２】
2008282583.tif 000014
【図１３】
2008282583.tif 000015
【図１４】
2008282583.tif 000016